(57)【要約】【課題】２つの画面を備え、複数の税率を用いて税計算をする際に、簡単な操作で、税率毎の税込合計額を容易に表示させることが可能になる税計算装置を提供する。【解決手段】数値データ（税抜額）が入力されて税込１キー１１ｂ（又は税込２キー１１ｃ）が操作されると、入力された数値データ（税込額）に対する税率１（又は税率２）での税込額データ（第１又は第２税込額データ）、税抜額データ（第１又は第２税抜額データ）、税額データ（第１又は第２税額データ）が算出され、税率１又は税率２合計メモリエリアに税込合計額データ（第１又は第２税込合計額データ）、税抜合計額データ（第１又は第２税抜合計額データ）、税合計額データ（第１又は第２税合計額データ）として加算して記憶される。そして、前記算出された第１又は第２税込額データが主表示部１２に表示され、前記記憶された第１又は第２税込合計額データが副表示部１３に表示される。【選択図】      図７
2018049433.tif 000002
【特許請求の範囲】
【請求項１】
第１表示部と第２表示部とを備える表示手段と、
複数の税率毎の税計算キーの操作を受け付ける税計算受付手段と、
前記第１表示部に表示された税抜額データを示す数値データに対して、前記税計算受付手段により前記複数の税率のうちの何れかの税率の税計算キーの操作が受け付けられた場合に、当該税計算キーに対応する税率をもとに算出される税込額データを前記第１表示部に表示させる税込額表示制御手段と、
少なくとも１つの前記数値データに対応する前記税込額データの合計を示す税込合計額データを前記第２表示部に表示させる税込合計額表示制御手段と、
を備えた税計算装置。
【請求項２】
税計算合計キーの操作を受け付ける税計算合計受付手段と、
前記税計算合計受付手段により税計算合計キーの操作が受け付けられた場合に、前記複数の税率毎の前記税込合計額データを総合計した税込総合計額データを前記第１表示部に表示させ、当該税込総合計額データに対応する税抜総合計額データを前記第２表示部に表示させる税込総合計額表示制御手段と、
を備えた請求項１に記載の税計算装置。
【請求項３】
前記税込総合計額表示制御手段により前記税込総合計額データが前記第１表示部に表示され、前記税抜総合計額データが前記第２表示部に表示された状態で、前記税計算合計受付手段により税計算合計キーの操作が受け付けられた場合に、前記税込総合計額データに対応する税抜総合計額データを前記第１表示部に表示させ、当該税込総合計額データに対応する税総合計額データを前記第２表示部に表示させる税抜総合計額表示制御手段、
を備えた請求項２に記載の税計算装置。
【請求項４】
前記税計算合計受付手段により税計算合計キーの操作が受け付けられた後に、前記税計算受付手段により前記複数の税率のうちの何れかの税率の税計算キーの操作が受け付けられた場合に、当該税計算キーに対応する税率をもとに算出された前記税込額データの合計を示す税込合計額データを前記第１表示部に表示させ、当該税込合計額データに対応する税抜合計額データを前記第２表示部に表示させる税率別税込合計額表示制御手段、
を備えた請求項２又は請求項３に記載の税計算装置。
【請求項５】
お釣りキーの操作を受け付けるお釣り受付手段と、
前記税計算合計受付手段により税計算合計キーの操作が受け付けられた後に、前記お釣り受付手段によりお釣りキーの操作が受け付けられた場合に、前記第１表示部に表示された預り額データを示す数値データから前記税込総合計額データを減算したお釣り額データを算出して前記表示手段により表示させるお釣り額表示制御手段と、
を備えた請求項２乃至請求項４の何れか１項に記載の税計算装置。
【請求項６】
前記お釣り額表示制御手段は、前記お釣り額データを前記第１表示部に表示させ、前記税込総合計額データを前記第２表示部に表示させる、請求項５に記載の税計算装置。
【請求項７】
前記お釣り額表示制御手段により前記お釣り額データが前記第１表示部に表示され、前記税込総合計額データが前記第２表示部に表示された状態で、前記お釣り受付手段によりお釣りキーの操作が受け付けられた場合に、前記預り額データを示す数値データを前記第２表示部に表示させる預り額表示制御手段、
を備えた請求項６に記載の税計算装置。
【請求項８】
第１表示部と第２表示部とを備えた電子機器を制御して税計算を行なう税計算方法であって、
複数の税率毎の税計算キーの操作を受け付け、
前記第１表示部に表示された税抜額データを示す数値データに対して、前記複数の税率のうちの何れかの税率の税計算キーの操作が受け付けられた場合に、当該税計算キーに対応する税率をもとに算出される税込額データを前記第１表示部に表示させ、
少なくとも１つの前記数値データに対応する前記税込額データの合計を示す税込合計額データを前記第２表示部に表示させる、
ようにした税計算方法。
【請求項９】
第１表示部と第２表示部とを備えた電子機器のコンピュータを制御するためのプログラムであって、
前記コンピュータを、
複数の税率毎の税計算キーの操作を受け付ける税計算受付手段、
前記第１表示部に表示された税抜額データを示す数値データに対して、前記税計算受付手段により前記複数の税率のうちの何れかの税率の税計算キーの操作が受け付けられた場合に、当該税計算キーに対応する税率をもとに算出される税込額データを前記第１表示部に表示させる税込額表示制御手段、
少なくとも１つの前記数値データに対応する前記税込額データの合計を示す税込合計額データを前記第２表示部に表示させる税込合計額表示制御手段、
として機能させるためのプログラム。
【発明の詳細な説明】
【技術分野】
【０００１】
本発明は、税計算をする税計算装置、税計算方法、及びその制御プログラムに関する。
【背景技術】
【０００２】
従来の計算装置（電卓）において、複数の税率を用いて税計算をする機能を備えたものがある。
【０００３】
例えば、任意の四則計算を行い、乗算の対象となる数値（金額）を表示した状態で、税込みキー（確認キー）を操作すると、表示されている数値に第１の税率をもとにした税込額を算出して表示する。同様にして、税込みキー（確認キー）を操作すると、表示されている数値に第２の税率をもとにした税込額を算出して表示する、電子卓上計算機が考えられている（例えば、特許文献１参照。）。
【０００４】
また、税率メモリに８種類まで税率を設定し、番号で指定して選択することができ、税率が選択された後、演算と「税込み」の入力操作が順次されると、演算結果とする数値に対する、選択された税率に応じた税込み計算を実行して税込額を表示する、計算装置が考えられている（例えば、特許文献２参照。）。
【０００５】
一方、主表示画面と副表示画面を備え、二画面を切り替えながら計算作業を行なうことができる電子式計算機が考えられている（例えば、特許文献３参照。）。
【先行技術文献】
【特許文献】
【０００６】
【特許文献１】特開平１０−１４３４７２号公報
【特許文献２】特開２０００−２６８００２号公報
【特許文献３】特開２０１３−００３８４０号公報
【発明の概要】
【発明が解決しようとする課題】
【０００７】
２つの画面を備えた電卓等の電子機器において、複数の税率を用いて税計算をする際に、簡単な操作で、税率毎の税込合計額を容易に表示したい要望がある。
【０００８】
本発明は、このような課題に鑑みなされたもので、２つの画面を備え、複数の税率を用いて税計算をする際に、簡単な操作で、税率毎の税込合計額を容易に表示させることが可能になる税計算装置、税計算方法及びその制御プログラムを提供することを目的とする。
【課題を解決するための手段】
【０００９】
本発明に係る税計算装置は、第１表示部と第２表示部とを備える表示手段と、複数の税率毎の税計算キーの操作を受け付ける税計算受付手段と、前記第１表示部に表示された税抜額データを示す数値データに対して、前記税計算受付手段により前記複数の税率のうちの何れかの税率の税計算キーの操作が受け付けられた場合に、当該税計算キーに対応する税率をもとに算出される税込額データを前記第１表示部に表示させる税込額表示制御手段と、少なくとも１つの前記数値データに対応する前記税込額データの合計を示す税込合計額データを前記第２表示部に表示させる税込合計額表示制御手段と、を備えている。
【発明の効果】
【００１０】
本発明によれば、２つの画面を備え、複数の税率を用いて税計算をする際に、簡単な操作で、税率毎の税込合計額を容易に表示させることが可能になる。
【図面の簡単な説明】
【００１１】
【図１】本発明の税計算装置の実施形態に係る電卓１０の外観構成を示す正面図。
【図２】本実施形態における電卓１０の電子回路の構成を示すブロック図。
【図３】本実施形態における電卓１０の計算機能の動作を説明するためのフローチャート（その１）。
【図４】本実施形態における電卓１０の計算機能の動作を説明するためのフローチャート（その２）。
【図５】本実施形態における電卓１０の計算機能の動作を説明するためのフローチャート（その３）。
【図６】本実施形態における電卓１０の計算機能の動作を説明するためのフローチャート（その４）である。
【図７】本実施形態における電卓１０の税計算機能を説明するための入力操作と表示の具体例（その１）を示す図。
【図８】本実施形態における電卓１０の税計算機能を説明するための入力操作と表示の具体例（その２）を示す図。
【図９】本実施形態における電卓１０の税計算機能を説明するための入力操作と表示の具体例（その３）を示す図。
【図１０】本実施形態における電卓１０のお釣り計算機能を説明するための入力操作と表示の具体例を示す図。
【発明を実施するための形態】
【００１２】
以下図面により本発明の実施の形態について説明する。
【００１３】
図１は、本発明の税計算装置の実施形態に係る電卓１０の外観構成を示す正面図である。本実施形態では、税計算装置を計算専用の電卓１０として実現している。
【００１４】
なお、税計算装置は、電卓１０として構成する他、計算機能を有する（計算処理プログラムが実装された）パーソナルコンピュータ、タブレット型コンピュータ、スマートフォン、携帯電話機、タッチパネル式ＰＤＡ(personal digital assistants)、電子ブック、携帯ゲーム機等として構成することができる。なお、電卓１０のような物理的なキー（ボタン）が実装されていない計算装置は、電卓１０のキーと同様なソフトウェアキーボードを表示し、このソフトウェアキーボードに対するキー操作に応じて計算処理を実行する。
【００１５】
本実施形態における電卓１０は、複数の税率（以下では税率１（例えば「８％」）と税率２（例えば「１０％」）の２つの税率）に基づいた税計算をする税計算機能、前記税計算機能により計算された複数の税率の各税込額の総合計額を対象に預り額からお釣り計算をするお釣り計算機能を有する。
【００１６】
電卓１０の筐体正面には、複数のキーを含むキー入力部１１、主表示部（メイン画面）１２及び副表示部（サブ画面）１３が設けられる。副表示部１３の表示領域は、主表示部１２の表示領域よりも一回り小さく、主表示部１２の下に並べて設けられる。
【００１７】
キー入力部１１には、数値キー、演算キー、税計算機能キー、お釣り計算機能キー、機能キー、が設けられる。数値キーは、例えば［００］［０］〜［９］のそれぞれに対応する複数のキーを含む。演算キーは、例えば［＋］（加算）キー、［−］（減算）キー、［×］（乗算）キー、［÷］（除算）キー１１ｈ、［＝］キーのそれぞれに対応する複数のキーを含む。税計算機能キーは、税込１計算キー（第１税計算キー）１１ｂ、税込２計算キー（第２税計算キー）１１ｃ、税抜１計算キー１１ｄ、税抜２計算キー１１ｅ、税計算合計キー（第３税計算キー）１１ｆを含む。お釣り計算機能キーは、お釣りキー１１ｘを含む。機能キーは、例えばオールクリアキー（［ＡＣ］キー１１ａ）、クリアキー（［Ｃ］キー）、グランドトータルキー（［ＧＴ］キー）、パーセントキー（［％］キー）の他に、前記主表示部１２と副表示部１３との間で表示されているデータを置き換えて表示させる「△」キー１１ｇ及び「▽」キー１１ｈなどを含む。
【００１８】
前記主表示部１２及び副表示部１３は、何れもドットマトリクス型の液晶表示ユニットからなる。各表示部１２，１３には、キー入力部１１のキーに対する操作により入力された数値や計算結果のデータが表示される。各表示部１２，１３には、限られた行数分（例えば１行）の数値が最大１２桁で表示される。また、各表示部１２，１３の辺に沿って設けられた状態表示エリアには、設定中の計算モードや各種設定状態を示す文字や記号（シンボル）が表示される。
【００１９】
図２は、本実施形態における電卓１０の電子回路の構成を示すブロック図である。電卓１０の電子回路は、ＣＰＵ２１を含む、コンピュータを構成する複数のユニットを備えている。
【００２０】
ＣＰＵ２１は、メモリ２２に記憶された計算処理プログラム２２ａを実行することにより、回路各部の動作を制御する。入力操作が行われると、ＣＰＵ２１は、キー入力部１１からのキー入力信号により入力操作がされたキーを検出し、検出された各キーに応じた各種の演算処理を実行する。電卓１０は、ＣＰＵ２１が計算処理プログラム２２ａに記述された命令に従い回路各部の動作を制御し、ソフトウェアとハードウェアとが協働して動作することにより、以下の動作説明で述べる計算機能による処理を含む計算処理を実現する。
【００２１】
計算処理プログラム２２ａは、予めメモリ２２に記憶されていても良いし、記録媒体読取部２３を介してメモリカード等の外部記録媒体２３から読み込まれても良いし、あるいは通信部２５を介して通信ネットワークＮ（インターネット等を含む）上のサーバ３０からダウンロードされても良い。
【００２２】
メモリ２２には、計算処理プログラム２２ａが記憶される他に、税率１合計メモリエリア２２ｂ、税率２合計メモリエリア２２ｃ、税合計メモリエリア２２ｄ、税合計後モードデータ２２ｅ、お釣り計算用合計メモリエリア２２ｆなど各データを記憶するエリアが設けられる。
【００２３】
税率１合計メモリエリア２２ｂは、税率１に基づいた税計算により算出されるデータを記憶するためのエリアである。税率１合計メモリエリア２２ｂには、キー入力部１１の入力操作により入力された税抜額（第１税抜額）を示す数値に対して、税率１を用いて計算された税込額（第１税込額）、税抜額（第１税抜額）、及び税額（第１税額）が、少なくとも１つの数値について記憶される。また、税率１合計メモリエリア２２ｂには、少なくとも１つの数値に対応する第１税込額の合計を示す第１税込合計額、第１税込合計額に対応する第１税抜合計額、第１税込合計額に対応する第１税合計額が記憶される。
【００２４】
税率２合計メモリエリア２２ｃは、税率２に基づいた税計算により算出されるデータを記憶するためのエリアである。税率２合計メモリエリア２２ｃには、キー入力部１１の入力操作により入力された税抜額（第２税抜額）を示す数値に対して、税率２を用いて計算された税込額（第２税込額）、税抜額（第２税抜額）、及び税額（第２税額）が、少なくとも１つの数値について記憶される。また、税率２合計メモリエリア２２ｃには、少なくとも１つの数値に対応する第２税込額の合計を示す第２税込合計額、第２税込合計額に対応する第２税抜合計額、第２税込合計額に対応する第２税合計額が記憶される。
【００２５】
税合計メモリエリア２２ｄは、税率１に基づいた税計算により算出される数値と、税率２に基づいた税計算により算出される数値の合計を示すデータを記憶するためのエリアである。税合計メモリエリア２２ｄには、税計算合計キー１１ｆの入力操作に応じて、第１税込合計額と第２税込合計額とを合計した税込総合計額、税込総合計額に対応する税抜総合計額、税込総合計額に対応する税総合計額が記憶される。
【００２６】
税合計後モードデータ２２ｅは、税計算合計キー１１ｆの入力操作に応じて税込総合計額が算出された後の状態にあるか否か（税合計後モードオン／オフ）を示すデータである。
【００２７】
税合計後モードは、税込総合計額が算出された時にオンされ、税込１計算キー１１ｂ及び税込２計算キー１１ｃ及びお釣りキー１１ｘ以外のキー、例えば［ＡＣ］キー１１ａが操作された場合や数値キーが操作されることにより新たな数値入力が行われた場合にオフされる。
【００２８】
税合計後モードがオン状態（税込総合計額の算出後の状態）の場合には、税込１計算キー１１ｂあるいは税込２計算キー１１ｃに対する操作が行われると、（第１／第２）税込合計額が表示される（税込合計額表示制御処理）。そして同じキー（税込１計算キー１１ｂあるいは税込２計算キー１１ｃ）が操作される毎に、（第１／第２）税込合計額に対応する税抜合計額、（第１／第２）税込合計額に対応する税合計額を切り替えて順次表示させる。
【００２９】
また、税合計後モードがオフ状態の場合（つまり税込総合計額の算出後でない状態）に、税込１計算キー１１ｂあるいは税込２計算キー１１ｃに対する操作が行われると、表示数値を税抜額とした場合の（第１／第２）税込額が表示される（税込額表示制御処理）。そして同じキー（税込１計算キー１１ｂあるいは税込２計算キー１１ｃ）が操作されると、（第１／第２）税額が表示される。
【００３０】
お釣り計算用合計メモリエリア２２ｆには、前記税計算合計キー１１ｆが操作される毎に計算された税込総合計額が上書きされて記憶される。
【００３１】
次に、本実施形態における電卓１０の動作について説明する。図３、図４、図５及び図６は、本実施形態における電卓１０の計算機能の動作を説明するためのフローチャートである。図７、図８、図９及び図１０は、本実施形態における電卓１０の税計算機能及びお釣り計算機能を説明するための入力操作と表示の具体例を示す図である。
【００３２】
ここでは、先ず一連の税計算機能を説明した後に、税込合計額を対象とするお釣り計算機能について説明する。
【００３３】
（税計算機能）
本実施形態では、初期設定において、税率１として「８％」、税率２として「１０％」が設定されている。
【００３４】
まず、ユーザは、計算の開始前に表示をクリアするため、［ＡＣ］キー１１ａを操作（押下）する。ＣＰＵ２１は、［ＡＣ］キー１１ａが操作されると（ステップＡ１（Ｙｅｓ））、税計算に使用するメモリ２２の各エリア、すなわち税率１合計メモリエリア２２ｂ、税率２合計メモリエリア２２ｃ、及び税合計メモリエリア２２ｄを全てクリアする（ステップＡ２）。また、ＣＰＵ２１は、税合計後モードデータ２２ｅに記憶された税合計後モードをオフする（ステップＡ３）。図７（Ａ）は、［ＡＣ］キー１１ａが操作された場合の表示例を示している。
【００３５】
次に、計算の対象とする数値を入力するためにユーザにより数値キーが操作されると（ステップＡ４（Ｙｅｓ））、ＣＰＵ２１は、入力操作された数値キーに応じた数値（数値データ）を入力し、入力された数値を主表示部（メイン画面）１２において表示させる（ステップＡ５）。また、ＣＰＵ２１は、税合計後モードデータ２２ｅに記憶された税合計後モードをオフする（ステップＡ３）。続いて、演算キーが操作されると（ステップＡ６（Ｙｅｓ））、ＣＰＵ２１は、入力操作された演算キーに応じた演算（演算データ）を入力して、入力された演算の演算（記号）シンボルを主表示部１２の状態表示エリアにおいて表示させる（ステップＡ７）。また、ＣＰＵ２１は、税合計後モードデータ２２ｅに記憶された税合計後モードをオフする（ステップＡ３）。また、ＣＰＵ２１は、入力された演算データと入力済みの数値データをもとに演算を実行し、演算途中の結果を主表示部１２に表示させる。以下、同様にして、数値データと演算データの入力が繰り返されることにより、ＣＰＵ２１は、入力された数値データと演算データとを順次記憶していく。そして、ユーザ操作により「＝」（イコール）キーが操作されると、ＣＰＵ２１は、入力操作された演算キー（「＝」キー）に応じた演算データを入力し、それまでに入力された数値データと演算データ（「＝」データ）に応じた計算を実行し、計算結果を主表示部１２に表示させる（ステップＡ４〜Ａ７）。
【００３６】
こうして、主表示部１２に数値が表示された状態において、税込１計算キー１１ｂあるいは税込２計算キー１１ｃの入力操作を検出した場合、ＣＰＵ２１は、主表示部１２に表示された税抜額を示す数値に対して、入力操作がされた税計算キーに応じた税率をもとに税計算を実行する。なお、前述した説明では、主表示部１２に表示された数値は、演算によって入力（表示）されているが、単に数値キーの入力操作により入力された数値を税計算の対象とすることができる。
【００３７】
例えば、ＣＰＵ２１は、税込１計算キー１１ｂの入力操作を検出した場合（ステップＡ８（Ｙｅｓ））、税合計後モードがオフ状態にあるため（ステップＡ１１（Ｙｅｓ））、税計算の対象とする表示中の数値について、税率１（例えば「８％」）をもとに税込額及び税額を計算して、表示中の数値が示す税抜額と共に税率１合計メモリエリア２２ｂに記憶させる（ステップＡ１２）。この際、税率１合計メモリエリア２２ｂには、今回計算した税率１での税込額、税抜額、税額を、それまでに計算した税込額、税抜額、税額に加算して記憶させるので、結果として税率１での税込合計額、税抜合計額、税合計額も記憶される。また、ＣＰＵ２１は、税率１をもとに計算した税込額を主表示部１２に表示させ、税率１の税込合計額を副表示部（サブ画面）１３に表示させる（ステップＡ１３）。
【００３８】
同様にして、数値キーの操作により入力された数値（あるいは演算により算出された数値）を主表示部１２に表示させた状態で（ステップＡ４〜Ａ７）、税込１計算キー１１ｂの入力操作を検出した場合（ステップＡ８（Ｙｅｓ））、ＣＰＵ２１は、主表示部１２に表示中の数値について税率１をもとに税計算をして、計算結果を税率１合計メモリエリア２２ｂに記憶させると共に税込額を主表示部１２に表示させ、税率１の税込合計額を副表示部１３に表示させる（ステップＡ８〜Ａ１３）。すなわち、複数の数値に対する税計算を続けて指示することができる。
【００３９】
また、ＣＰＵ２１は、税込２計算キー１１ｃの入力操作を検出した場合（ステップＡ２６（Ｙｅｓ））、税合計後モードがオフ状態にあるため（ステップＡ２９（Ｙｅｓ））、税計算の対象とする表示中の数値について、税率２（例えば「１０％」）をもとに税込額及び税額を計算して、表示中の数値が示す税抜額と共に税率２合計メモリエリア２２ｃに記憶させる（ステップＡ３０）。また、ＣＰＵ２１は、税率２をもとに計算した税込額を主表示部１２に表示させ、税率２の税込合計額を副表示部１３に表示させる（ステップＡ３１）。同様にして、数値キーの操作により入力された数値（あるいは演算により算出された数値）を主表示部１２に表示させた状態で（ステップＡ４〜Ａ７）、税込２計算キー１１ｃの入力操作を検出した場合（ステップＡ２６（Ｙｅｓ））、ＣＰＵ２１は、主表示部１２に表示中の数値について税率２をもとに税計算をして、計算結果を税率２合計メモリエリア２２ｃに記憶させると共に税込額を主表示部１２に表示させ、税率２の税込合計額を副表示部１３に表示させる（ステップＡ２６〜Ａ３１）。
【００４０】
以下、具体的な数値の入力と税計算の例について説明する。図７は、以下の税計算機能の説明で使用する入力される数値（税抜額）、税込額、税額の例を示す図である。
【００４１】
例えば図７（Ｂ）に示すように、数値「１００」が入力された後（ステップＡ４（Ｙｅｓ），Ａ５）、税込１計算キー１１ｂが操作されると（ステップＡ８（Ｙｅｓ））、ＣＰＵ２１は、税率１をもとに算出した税込額「１０８」を主表示部１２に表示させ、当該税率１での税込合計額（ここでは税率１での最初の税込額の計算のため税込合計額も同じになる）「１０８」を副表示部１３に表示させる（ステップＡ１１（Ｙｅｓ），Ａ１２，Ａ１３）。また、ＣＰＵ２１は、税率１をもとに算出した税込額を表示していることを表すシンボル「税１」「税込」を主表示部１２に表示させ、税率１をもとに算出した税込合計額を表示していることを表すシンボル「総合計」「税１」「税込」を副表示部１３に表示させる。同様にして、図７（Ｃ）に示すように、数値「２００」が入力され、税込１計算キー１１ｂが操作されると、ＣＰＵ２１は、数値「２００」に対して税率１をもとに算出した税込額「２１６」を主表示部１２に表示させ、当該税率１での税込合計額「３２４」を副表示部１３に表示させる。数値「２００」に対する税計算の結果は、税率１合計メモリエリア２２ｂに記憶される（ステップＡ１２）。
【００４２】
なお、税込額と税込合計額が主副表示部１２，１３に表示されている状態において、税計算を指示するために操作したキー（税込１計算キー１１ｂまたは税込２計算キー１１ｃ）を続けて操作すると、税込額と税込合計額の表示を税額と税合計額の表示に切り替えて表示させる。
【００４３】
例えば、図７（Ｃ）で示したように、税率１をもとに算出された税込額「２１６」と税込合計額「３２４」が主副表示部１２，１３に表示されている時（ステップＡ１３）、図７（Ｄ）に示すように、税込１計算キー１１ｂが操作された場合（ステップＡ１４（Ｙｅｓ））、ＣＰＵ２１は、税率１をもとに算出した税額「１６」を税率１合計メモリエリア２２ｂから読み出して主表示部１２に表示させ、税率１での税合計額「２４」を同税率１合計メモリエリア２２ｂから読み出して副表示部１３に表示させる（ステップＡ１５）。さらに、図７（Ｅ）に示すように、続けて税込１計算キー１１ｂが操作された場合（ステップＡ１６（Ｙｅｓ））、ＣＰＵ２１は、税率１をもとに算出された税込額「２１６」を主表示部１２に表示させ、税率１での税込合計額「３２４」を副表示部１３に表示させる（ステップＡ１３）。
【００４４】
ここで、図７（Ｆ）に示すように、税抜１計算キー１１ｄが操作された場合（ステップＡ１６ａ（Ｙｅｓ））、ＣＰＵ２１は、税率１をもとに算出された税抜額「２００」を税率１合計メモリエリア２２ｂから読み出して主表示部１２に表示させ、税率１での税抜合計額「３００」を同税率１合計メモリエリア２２ｂから読み出して副表示部１３に表示させる（ステップＡ１６ｂ）。
【００４５】
また、図８（Ａ）に示すように、数値「５００」が入力された後（ステップＡ４（Ｙｅｓ），Ａ５）、税込２計算キー１１ｃが操作されると（ステップＡ２６（Ｙｅｓ））、ＣＰＵ２１は、税率２をもとに算出した税込額「５５０」を主表示部１２に表示させ、当該税率２での税込合計額（ここでは税率２での最初の税込額の計算のため税込合計額も同じになる）「５５０」を副表示部１３に表示させる（ステップＡ２９（Ｙｅｓ），Ａ３０，Ａ３１）。また、ＣＰＵ２１は、税率２をもとに算出した税込額を表示していることを表すシンボル「税２」「税込」を主表示部１２に表示させ、税率２をもとに算出した税込合計額を表示していることを表すシンボル「総合計」「税２」「税込」を副表示部１３に表示させる。同様にして、図８（Ｂ）に示すように、数値「２００」が入力され、税込２計算キー１１ｃが操作されると、ＣＰＵ２１は、数値「２００」に対して税率２をもとに算出した税込額「２２０」を主表示部１２に表示させ、当該税率２での税込合計額「７７０」を副表示部１３に表示させる。数値「２００」に対する税計算の結果は、税率２合計メモリエリア２２ｃに記憶される（ステップＡ３０）。
【００４６】
そして、図８（Ｂ）で示したように、税率２をもとに算出された税込額「２２０」と税込合計額「７７０」が主副表示部１２，１３に表示されている時（ステップＡ３１）、図８（Ｃ）に示すように、税込２計算キー１１ｂが操作された場合（ステップＡ３２（Ｙｅｓ））、ＣＰＵ２１は、税率２をもとに算出した税額「２０」を税率２合計メモリエリア２２ｃから読み出して主表示部１２に表示させ、税率２での税合計額「７０」を同税率２合計メモリエリア２２ｃから読み出して副表示部１３に表示させる（ステップＡ３３）。さらに、図８（Ｄ）に示すように、続けて税込２計算キー１１ｃが操作された場合（ステップＡ３４（Ｙｅｓ））、ＣＰＵ２１は、税率２をもとに算出された税込額「２２０」を主表示部１２に表示させ、税率２での税込合計額「７７０」を副表示部１３に表示させる（ステップＡ３１）。
【００４７】
ここで、図８（Ｅ）に示すように、税抜２計算キー１１ｅが操作された場合（ステップＡ３４ａ（Ｙｅｓ））、ＣＰＵ２１は、税率２をもとに算出された税抜額「２００」を税率２合計メモリエリア２２ｂから読み出して主表示部１２に表示させ、税率２での税抜合計額「７００」を同税率２合計メモリエリア２２ｂから読み出して副表示部１３に表示させる（ステップＡ３４ｂ）。
【００４８】
このように、電卓１０では、入力された数値（税抜額）に対する税込１計算キー１１ｂあるいは税込２計算キー１１ｃの操作により、税率毎の税込額を算出して主表示部１２に表示させ、該当する税率での税込合計額を副表示部１３に表示させることができる。よって、非常に簡単な操作で、税率１あるいは税率２での税込額を順次算出して主表示部１２に表示させながら、当該税率毎の税込合計額を容易に副表示部１３に表示させることができる。
【００４９】
また、電卓１０では、税込１計算キー１１ｂあるいは税込２計算キー１１ｃの操作に応じて該当する税率での税込額を主表示部１２に表示させ、税込合計額を副表示部１３に表示させた後、税込１計算キー１１ｂあるいは税込２計算キー１１ｃに対する操作毎に、前記主表示部１２では税込額の表示と税額の表示、前記副表示部１３では税込合計額の表示と税合計額の表示とを交互に切り替えて表示させることができる。よって、税率毎の税込額及び税込合計額と税額及び税合計額とを容易に確認することができる。
【００５０】
次に、税計算合計キー１１ｆ（第３税計算キー）が操作された場合（ステップＡ４４（Ｙｅｓ））、ＣＰＵ２１は、税合計後モードデータ２２ｅに記憶された税合計後モードをオンする（ステップＡ４４ａ）。そして、ＣＰＵ２１は、税率１合計メモリエリア２２ｂに記憶された税率１をもとに算出された税込額の合計（第１税込合計額）と、税率２合計メモリエリア２２ｃに記憶された税率２をもとに算出された税込額の合計（第２税込合計額）とを合計した税込総合計額を算出して、税合計メモリエリア２２ｄに記憶させると共に主表示部１２に表示させる（ステップＡ４５）。
【００５１】
また、ＣＰＵ２１は、税率１合計メモリエリア２２ｂに記憶された税率１をもとに算出された税抜額の合計（第１税抜合計額）と、税率２合計メモリエリア２２ｃに記憶された税率２をもとに算出された税抜額の合計（第２税抜合計額）とを合計した税抜総合計額を算出して、税合計メモリエリア２２ｄに記憶させると共に副表示部１３に表示させる（ステップＡ４５）。
【００５２】
ここで、前記算出表示された税込総合計額は、お釣り計算用合計メモリエリア２２ｆに上書きされて記憶される（ステップＡ４５）。
【００５３】
また、電卓１０は、前記税込総合計額と税抜総合計額が主副表示部１２，１３に表示されている状態において、税計算合計キー１１ｆを続けて操作することで、当該税込総合計額と税抜総合計額の表示を、税抜総合計額と税総合計額、税総合計額と税込総合計額に順次切り替えて表示させることができる。
【００５４】
税込総合計額が主表示部１２に表示され、税抜総合計額が副表示部１２に表示されている時（ステップＡ４５）、税計算合計キー１１ｆ（第３税計算キー）が操作された場合（ステップＡ４６（Ｙｅｓ））、ＣＰＵ２１は、税率１合計メモリエリア２２ｂと税率２合計メモリエリア２２ｃに記憶されたデータをもとに、税込総合計額に対応する税抜総合計額と税総合計額を算出して税合計メモリエリア２２ｄに記憶させる。また、ＣＰＵ２１は、税合計メモリエリア２２ｄから税抜総合計額と税総合計額を読み出して主表示部１２と副表示部１３に表示させる（ステップＡ４７）。
【００５５】
さらに、税抜総合計額が主表示部１２に表示され、税総合計額が副表示部１３に表示されている時（ステップＡ４７）、税計算合計キー１１ｆ（第３税計算キー）が操作された場合（ステップＡ４８（Ｙｅｓ））、ＣＰＵ２１は、税率１合計メモリエリア２２ｂと税率２合計メモリエリア２２ｃに記憶されたデータをもとに、税総合計額と税込総合計額を算出して税合計メモリエリア２２ｄに記憶させる。また、ＣＰＵ２１は、税合計メモリエリア２２ｄから税総合計額と税込総合計額を読み出して主表示部１２と副表示部１３に表示させる（ステップＡ４９）。
【００５６】
さらに、税計算合計キー１１ｆが操作された場合（ステップＡ５０（Ｙｅｓ））、ＣＰＵ２１は、税込総合計額と税抜総合計額を主表示部１２と副表示部１３において表示させ、また税込総合額をお釣り計算用合計メモリ２２ｆに上書きして記憶させる（ステップＡ４５）。
【００５７】
すなわち、電卓１０は、税計算合計キー１１ｆの操作に応じて税込総合計額と税抜総合計額を算出した後、税計算合計キー１１ｆ（第３税計算キー）に対する操作毎に、主副表示部１２，１３を使用して、税込総合計額と税抜総合計額、税抜総合計額と税総合計額、税総合計額と税込総合計額の表示を順次に切り替えることができる。よって、税込総合計額に対する税抜総合計額、税抜総合計額に対する税総合計額、税総合計額に対する税込総合計額を容易に対比して確認することができる。
【００５８】
図９（Ａ）〜図９（Ｃ）は、税計算合計キー１１ｆ（第３税計算キー）が操作された場合の表示例を示している。前記図７（Ｂ）（Ｃ）及び図８（Ａ）（Ｂ）で示した複数の数値について税計算（ステップＡ８〜Ａ１２／Ａ２６〜Ａ３０）がされた後、税計算合計キー１１ｆが操作されると（ステップＡ４４（Ｙｅｓ））、ＣＰＵ２１は、図９（Ａ）に示すように、税率１と税率２をそれぞれ適用した税込額の総合計額を示す税込総合計額「１０９４」と税抜額の総合計額を示す税抜総合計額「１０００」を計算し主表示部１２と副表示部１３に表示させる。そして、税込総合計額「１０９４」をお釣り計算用合計メモリ２２ｆに記憶させる（ステップＡ４５）。
【００５９】
ここで、図９（Ｂ）に示すように、税計算合計キー１１ｆが操作されると（ステップＡ４６（Ｙｅｓ））、ＣＰＵ２１は、税抜総合計額「１０００」と税総合計額「９４」を計算し主表示部１２と副表示部１３に表示させる（ステップＡ４７）。さらに、図９（Ｃ）に示すように、税計算合計キー１１ｆが操作されると（ステップＡ４８（Ｙｅｓ））、ＣＰＵ２１は、税総合計額「９４」と税込総合計額「１０９４」を計算し主表示部１２と副表示部１３に表示させる（ステップＡ４９）。
【００６０】
次に、税合計後モードがオン状態にされた後（税込総合計額が算出された後）、税込１計算キー１１ｂまたは税込２計算キー１１ｃが操作された場合について説明する。
【００６１】
図９（Ａ）〜図９（Ｃ）で示したように、税込総合計額と税抜総合計、税抜総合計額と税総合計額、あるいは税総合計額と税込総合計額が主表示部１２と副表示部１３に表示された状態において、税込１計算キー１１ｂが操作された場合（ステップＡ８（Ｙｅｓ））、ＣＰＵ２１は、税合計後モードがオン状態にあるため（ステップＡ１１（Ｎｏ））、少なくとも１つの数値に対応する第１税込額の合計を示す第１税込合計額と第１税抜額の合計を示す第１税抜合計額を税率１合計メモリエリア２２ｂから読み出して主表示部１２と副表示部１３に表示させる（ステップＡ１７）。
【００６２】
さらに、第１税込合計額と第１税抜合計額が主表示部１２と副表示部１３に表示されている状態において（ステップＡ１７）、税込１計算キー１１ｂが操作された場合（ステップＡ１８（Ｙｅｓ））、ＣＰＵ２１は、税率１合計メモリエリア２２ｂから第１税込合計額に対応する第１税抜合計額と第１税合計額を読み出して主表示部１２と副表示部１３に表示させる（ステップＡ１９）。
【００６３】
さらに、第１税抜合計額と第１税合計額が主表示部１２と副表示部１３に表示された状態において、税込１計算キー１１ｂが操作された場合（ステップＡ２０（Ｙｅｓ））、ＣＰＵ２１は、税率１合計メモリエリア２２ｂから第１税合計額と第１税込合計額を読み出して主表示部１２と副表示部１３に表示させる（ステップＡ２１）。
【００６４】
すなわち、電卓１０は、税込総合計額が算出された後では、税込１計算キー１１ｂに対する操作毎に、主表示部１２と副表示部１３を使用して、税率１をもとに算出された第１税込合計額と第１税抜合計額、第１税抜合計額と第１税合計額、第１税合計額と第１税込合計額の何れかの表示に切り替えることができる。よって、第１税込合計額と第１税抜合計額、第１税抜合計額と第１税合計額、第１税合計額と第１税込合計額をそれぞれ容易に見比べながら確認することができる。
【００６５】
図９（Ｄ）〜図９（Ｆ）は、税込１計算キー１１ｂが操作された場合の表示例を示している。図９（Ａ）〜図９（Ｃ）に示す表示がされている状態において、図９（Ｄ）に示すように、税込１計算キー１１ｂが操作されると（ステップＡ８（Ｙｅｓ））、ＣＰＵ２１は、税率１をもとに算出された第１税込合計額「３２４」と第１税抜合計額「３００」を税率１合計メモリエリア２２ｂから読み出して主表示部１２と副表示部１３に表示させる（ステップＡ１７）。
【００６６】
ここで、図９（Ｅ）に示すように、税込１計算キー１１ｂが操作されると（ステップＡ１８（Ｙｅｓ））、ＣＰＵ２１は、第１税抜合計額「３００」と第１税合計額「２４」を税率１合計メモリエリア２２ｂから読み出して主表示部１２と副表示部１３に表示させる（ステップＡ１９）。
【００６７】
さらに、図９（Ｆ）に示すように、税込１計算キー１１ｂが操作されると（ステップＡ２０（Ｙｅｓ））、ＣＰＵ２１は、第１税合計額「２４」と第１税込合計額「３２４」を税率１合計メモリエリア２２ｂから読み出して主表示部１２と副表示部１３に表示させる（ステップＡ２１）。
【００６８】
なお、図９（Ｄ）〜図９（Ｆ）に示す表示状態において税込２計算キー１１ｃが操作された場合には（ステップＡ２３、Ａ２４、Ａ２５（Ｙｅｓ））、ＣＰＵ２１は、図９（Ｇ）に示す第２税込合計額の表示に切り替える（ステップＡ３５）。
【００６９】
すなわち、図９（Ｇ）に示すように、税込２計算キー１１ｃが操作されると（ステップＡ２５（Ｙｅｓ））、ＣＰＵ２１は、税率２をもとに算出された第２税込合計額「７７０」と第２税抜合計額「７００」を税率２合計メモリエリア２２ｃから読み出して主表示部１２と副表示部１３に表示させる（ステップＡ３５）。
【００７０】
この後、図示はしないが、さらに、税込２計算キー１１ｃが操作された場合（ステップＡ３６（Ｙｅｓ））、ＣＰＵ２１は、税率２合計メモリエリア２２ｃから第２税込合計額「７７０」に対応する第２税抜合計額「７００」と第２税合計額「７０」を読み出して主表示部１２と副表示部１３に表示させる（ステップＡ３７）。さらに、第２税抜合計額と第２税合計額が表示された状態において、税込２計算キー１１ｃが操作された場合（ステップＡ３８（Ｙｅｓ））、ＣＰＵ２１は、税率２合計メモリエリア２２ｃから第２税合計額「７０」と第２税込合計額「７７０」を読み出して主表示部１２と副表示部１３に表示させる（ステップＡ３９）。
【００７１】
すなわち、電卓１０は、税込総合計額が算出された後では、税込２計算キー１１ｃに対する操作毎に、主表示部１２と副表示部１３を使用して、税率２をもとに算出された第２税込合計額と第２税抜合計額、第２税抜合計額と第２税合計額、第２税合計額と第２税込合計額の何れかの表示に切り替えることができる。よって、第２税込合計額と第２税抜合計額、第２税抜合計額と第２税合計額、第２税合計額と第２税込合計額をそれぞれ容易に見比べながら確認することができる。
【００７２】
なお、前記図９（Ｇ）で示した第２税込合計額と第２税抜合計額、あるいは第２税抜合計額と第２税合計額、あるいは第２税合計額と第２税込合計額の何れかの表示状態において税込１計算キー１１ｂが操作された場合には（ステップＡ４１、Ａ４２、Ａ４３（Ｙｅｓ））、ＣＰＵ２１は、図９（Ｄ）〜図９（Ｆ）で示した第１税込合計額の表示に切り替える（ステップＡ１７）。
【００７３】
すなわち、電卓１０は、税合計後モードがオン状態にある間、税込１計算キー１１ｂと税込２計算キー１１ｃの操作による簡単な操作により、税率１と税率２のそれぞれに対応する主副表示部１２，１３を使用した２つの合計表示（図９（Ｄ）〜図９（Ｇ））を、相互に切り替えて表示させることができる。
【００７４】
こうして、本実施形態における電卓１０では、複数の税率のそれぞれに対応する税込１計算キー１１ｂと税込２計算キー１１ｃを用いた簡単な操作で複数の税率に基づいた税計算をし、税計算の内容を容易に確認することができる。
【００７５】
（お釣り計算機能）
図１０は、前記図７〜図９で示した税計算による税込総合計額を対象にしたお釣り計算の表示例を示している。
【００７６】
図１０（Ａ）に示すように、税計算合計キー１１ｆの操作により（ステップＡ４４（Ｙｅｓ））、税込総合計額「１０９４」を主表示部１２に表示させ、お釣り計算用合計メモリ２２ｆに記憶させ、また、税抜総合額「１０００」を副表示部１３に表示させた状態で（ステップＡ４５）、図１０（Ｂ）に示すように、預り額として数値「２０００」が入力される（ステップＡ５１（Ｙｅｓ））。
【００７７】
すると、ＣＰＵ２１は、税合計後モードをオフにし（ステップＡ５２）、入力された数値（預り額）「２０００」を主表示部１２に表示させる（ステップＡ５３）。
【００７８】
そして、図１０（Ｃ）に示すように、お釣りキー１１ｘが操作されると（ステップＡ５４（Ｙｅｓ））、ＣＰＵ２１は、前記入力された数値（預り額）「２０００」から前記お釣り計算用合計メモリ２２ｆに記憶されている税込総合額「１０９４」を減算し、減算結果（お釣り額）「９０６」を主表示部１２に表示させ、税込総合計額「１０９４」を副表示部１３に表示させる（ステップＡ５５）。
【００７９】
これにより、複数の税率（税率１／税率２）毎に税計算した第１税込合計額と第２税込総合計額との総合計である税込総合計額を対象に、預り額を入力し、当該預り額から前記税込総合額を減算したお釣り額を容易に主表示部１２に表示させることができるだけでなく、副表示部１３に表示させた税込総合計額と対比して確認できるようになる。
【００８０】
この後、図１０（Ｄ）に示すように、前記お釣りキー１１ｘが続けて操作されると（ステップＡ５６（Ｙｅｓ））、ＣＰＵ２１は、前記お釣り額「９０６」を主表示部１２に表示させたまま、前記預り額「２０００」を副表示部１３に表示させる（ステップＡ５７）。
【００８１】
これにより、前記主副表示部１２，１３を使用して、税込総合計額に対するお釣り額との対比表示を、預り額に対する同お釣り額との対比表示に容易に切り替えて確認できるようになる。
【００８２】
したがって、前記構成の電卓１０によれば、数値データ（税抜額）が入力されて税込１キー（第１税計算キー）１１ｂ又は税込２キー（第２税計算キー）１１ｃが操作されると、入力された数値データ（税込額）に対する税率１又は税率２での税込額データ（第１又は第２税込額データ）、税抜額データ（第１又は第２税抜額データ）、税額データ（第１又は第２税額データ）が算出され、税率１又は税率２合計メモリエリア２２ｂ，２２ｃに税込合計額データ（第１又は第２税込合計額データ）、税抜合計額データ（第１又は第２税抜合計額データ）、税合計額データ（第１又は第２税合計額データ）として加算して記憶される。そして、前記算出された第１又は第２税込額データが主表示部１２に表示され、前記記憶された第１又は第２税込合計額データが副表示部１３に表示される。
【００８３】
これにより、非常に簡単な操作で、税率毎に、入力した数値データ（税抜額）に対する税込額データを算出して主表示部１２に表示させながら、該当する税率での税込合計額を副表示部１３に表示させて容易に確認できるようになる。
【００８４】
また、前記構成の電卓１０によれば、前記税率毎の税込額データを算出して当該税込額データを主表示部１２に表示させ、該当税率での税込合計額データを副表示部１３に表示させた後に、税計算合計キー（第３税計算キー）１１ｆが操作されると、前記税率１及び税率２合計メモリエリア２２ｂ，２２ｃに記憶された各税率での税込合計額データ、税抜合計額データをそれぞれ総合計した税込総合計額データ、税抜総合計額データが算出される。そして、前記算出された税込総合計額データと税抜総合計額データが主表示部１２と副表示部１３に表示される。
【００８５】
これにより、非常に簡単な操作で、複数の税率毎の税込合計額データを総合計した税込総合計額データと当該税込総合計額データに対応する税抜総合計額データとを容易に見比べて確認できるようになる。
【００８６】
また、前記構成の電卓１０によれば、前記税計算合計キー１１ｆの操作に応じて税率１及び税率２での税込総合計額データと税抜総合計額データを主表示部１２と副表示部１３に表示させた後に、続けて、前記税計算合計キー１１ｆが操作されると、前記税率１及び税率２合計メモリエリア２２ｂ，２２ｃに記憶された各税率での税抜合計額データ、税合計額データをそれぞれ総合計した税抜総合計額データ、税総合計額データが算出される。そして、前記算出された税抜総合計額データと税総合計額データが主表示部１２と副表示部１３に表示される。
【００８７】
これにより、非常に簡単な操作で、税込総合計額データと税抜総合計額データとの対比表示を、税抜総合計額データと税総合計額データとの対比表示に切り替えて確認できるようになる。
【００８８】
また、前記構成の電卓１０によれば、前記税計算合計キー１１ｆの操作に応じて前記各税率での税込合計額データを総合計した税込総合計額データを算出して表示させた後に、前記税込１計算キー１１ｂ又は税込２計算キー１１ｃが操作されると、前記税率１又は税率２合計メモリエリア２２ｂ，２２ｃに記憶されている該当する税率での第１又は第２税込合計額データと第１又は第２税抜合計額データが読み出されて主表示部１２と副表示部１３に表示される。
【００８９】
これにより、非常に簡単な操作で、複数の税率での税込総合計額データと税抜総合計額データを確認した後に、税率別の税込合計額データと税抜合計額データを容易に確認できるようになる。
【００９０】
また、前記構成の電卓１０によれば、前記税計算合計キー１１ｆの操作に応じて前記各税率での税込合計額データを総合計した税込総合計額データを算出して表示させると、当該税込総合計額データはお釣り計算用合計メモリ２２ｆに記憶される。ここで、預り額としての数値データを入力してお釣りキー１１ｘが操作されると、当該入力された数値データ（預り額データ）から前記税込総合計額データを減算したお釣り額データが算出されて主表示部１２に表示され、前記税込総合計額データが副表示部１３に表示される。
【００９１】
これにより、非常に簡単な操作で、複数の税率での税込総合計額データを確認し、預り額データを入力してそのお釣り額データを確認できるだけでなく、当該お釣り額データを前記税込総合計額データと併せて確認できるようになる。
【００９２】
さらに、前記構成の電卓１０によれば、前記お釣りキー１１ｘの操作に応じて、預り額データから税込総合計額データを減算したお釣り額データを主表示部１２に表示させ、前記税込総合計額データを副表示部１３に表示させた後に、続けて、お釣りキー１１ｘが操作されると、前記主表示部１２でのお釣り額データの表示をそのままに、前記預り額データを副表示部１３に表示させるので、非常に簡単な操作で、税込総合計額データに対するお釣り額データを確認した後に、預り額データに対するお釣り額データも確認できるようになる。
【００９３】
なお、前述した説明では、税込１計算キー１１ｂと税込２計算キー１１ｃに対する入力操作がある場合を例にしているが、税抜１計算キー１１ｄと税抜２計算キー１１ｅに対する入力操作がある場合についても同様の処理を実行することも可能である。ただし、税抜１計算キー１１ｄあるいは税抜２計算キー１１ｅが操作された場合、ＣＰＵ２１は、税抜額を税込額よりも優先して表示させるものとする。その他は、税込１計算キー１１ｂまたは税込２計算キー１１ｃが操作された場合と同様に処理する。
【００９４】
また、前記実施形態において記載した手法、すなわち図３〜図６のフローチャートに示す処理等の各手法は、コンピュータに実行させることができるプログラムとして、メモリカード（ＲＯＭカード、ＲＡＭカード等）、磁気ディスク（フレキシブルディスク、ハードディスク等）、光ディスク（ＣＤ−ＲＯＭ、ＤＶＤ等）、半導体メモリ等の記録媒体に格納して配布することができる。そして、コンピュータは、外部記録媒体に記録されたプログラムを読み込み、このプログラムによって動作が制御されることにより、前記実施形態において説明した機能と同様の処理を実現することができる。
【００９５】
また、各手法を実現するためのプログラムのデータは、プログラムデータの形態としてネットワーク（インターネット）上を伝送させることができ、このネットワーク（インターネット）に接続されたコンピュータ（サーバ装置等）からプログラムデータを取り込み、前述した実施形態と同様の機能を実現することもできる。
【００９６】
なお、本願発明は、前記実施形態に限定されるものではなく、実施段階ではその要旨を逸脱しない範囲で種々に変形することが可能である。さらに、前記実施形態には種々の段階の発明が含まれており、開示される複数の構成要件における適宜な組み合わせにより種々の発明が抽出され得る。例えば、前記実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００９７】
以下に、本願出願の当初の特許請求の範囲に記載された発明を付記する。
【００９８】
［１］
第１表示部と第２表示部とを備える表示手段と、
複数の税率毎の税計算キーの操作を受け付ける税計算受付手段と、
前記第１表示部に表示された税抜額データを示す数値データに対して、前記税計算受付手段により前記複数の税率のうちの何れかの税率の税計算キーの操作が受け付けられた場合に、当該税計算キーに対応する税率をもとに算出される税込額データを前記第１表示部に表示させる税込額表示制御手段と、
少なくとも１つの前記数値データに対応する前記税込額データの合計を示す税込合計額データを前記第２表示部に表示させる税込合計額表示制御手段と、
を備えた税計算装置。
【００９９】
［２］
税計算合計キーの操作を受け付ける税計算合計受付手段と、
前記税計算合計受付手段により税計算合計キーの操作が受け付けられた場合に、前記複数の税率毎の前記税込合計額データを総合計した税込総合計額データを前記第１表示部に表示させ、当該税込総合計額データに対応する税抜総合計額データを前記第２表示部に表示させる税込総合計額表示制御手段と、
を備えた［１］に記載の税計算装置。
【０１００】
［３］
前記税込総合計額表示制御手段により前記税込総合計額データが前記第１表示部に表示され、前記税抜総合計額データが前記第２表示部に表示された状態で、前記税計算合計受付手段により税計算合計キーの操作が受け付けられた場合に、前記税込総合計額データに対応する税抜総合計額データを前記第１表示部に表示させ、当該税込総合計額データに対応する税総合計額データを前記第２表示部に表示させる税抜総合計額表示制御手段、
を備えた［２］に記載の税計算装置。
【０１０１】
［４］
前記税計算合計受付手段により税計算合計キーの操作が受け付けられた後に、前記税計算受付手段により前記複数の税率のうちの何れかの税率の税計算キーの操作が受け付けられた場合に、当該税計算キーに対応する税率をもとに算出された前記税込額データの合計を示す税込合計額データを前記第１表示部に表示させ、当該税込合計額データに対応する税抜合計額データを前記第２表示部に表示させる税率別税込合計額表示制御手段、
を備えた［２］又は［３］に記載の税計算装置。
【０１０２】
［５］
お釣りキーの操作を受け付けるお釣り受付手段と、
前記税計算合計受付手段により税計算合計キーの操作が受け付けられた後に、前記お釣り受付手段によりお釣りキーの操作が受け付けられた場合に、前記第１表示部に表示された預り額データを示す数値データから前記税込総合計額データを減算したお釣り額データを算出して前記表示手段により表示させるお釣り額表示制御手段と、
を備えた［２］乃至［４］の何れかに記載の税計算装置。
【０１０３】
［６］
前記お釣り額表示制御手段は、前記お釣り額データを前記第１表示部に表示させ、前記税込総合計額データを前記第２表示部に表示させる、［５］に記載の税計算装置。
【０１０４】
［７］
前記お釣り額表示制御手段により前記お釣り額データが前記第１表示部に表示され、前記税込総合計額データが前記第２表示部に表示された状態で、前記お釣り受付手段によりお釣りキーの操作が受け付けられた場合に、前記預り額データを示す数値データを前記第２表示部に表示させる預り額表示制御手段、
を備えた［６］に記載の税計算装置。
【０１０５】
［８］
第１表示部と第２表示部とを備えた電子機器を制御して税計算を行なう税計算方法であって、
複数の税率毎の税計算キーの操作を受け付け、
前記第１表示部に表示された税抜額データを示す数値データに対して、前記複数の税率のうちの何れかの税率の税計算キーの操作が受け付けられた場合に、当該税計算キーに対応する税率をもとに算出される税込額データを前記第１表示部に表示させ、
少なくとも１つの前記数値データに対応する前記税込額データの合計を示す税込合計額データを前記第２表示部に表示させる、
ようにした税計算方法。
【０１０６】
［９］
第１表示部と第２表示部とを備えた電子機器のコンピュータを制御するためのプログラムであって、
前記コンピュータを、
複数の税率毎の税計算キーの操作を受け付ける税計算受付手段、
前記第１表示部に表示された税抜額データを示す数値データに対して、前記税計算受付手段により前記複数の税率のうちの何れかの税率の税計算キーの操作が受け付けられた場合に、当該税計算キーに対応する税率をもとに算出される税込額データを前記第１表示部に表示させる税込額表示制御手段、
少なくとも１つの前記数値データに対応する前記税込額データの合計を示す税込合計額データを前記第２表示部に表示させる税込合計額表示制御手段、
として機能させるためのプログラム。
【符号の説明】
【０１０７】
１０…電卓、１１…キー入力部、１１ｂ…税込１計算キー、１１ｃ…税込２計算キー、１１ｆ…税計算合計キー、１１ｘ…お釣りキー、１２…主表示部（メイン画面）、１３…副表示部（サブ画面）、２１…ＣＰＵ、２２…メモリ、２２ａ…計算処理プログラム、２２ｂ…税率１合計メモリエリア、２２ｃ…税率２合計メモリエリア、２２ｄ…税合計メモリエリア、２２ｅ…税合計後モードデータ、２２ｆ…お釣り計算用合計メモリ。
【図１】
2018049433.tif 000003
【図２】
2018049433.tif 000004
【図３】
2018049433.tif 000005
【図４】
2018049433.tif 000006
【図５】
2018049433.tif 000007
【図６】
2018049433.tif 000008
【図７】
2018049433.tif 000009
【図８】
2018049433.tif 000010
【図９】
2018049433.tif 000011
【図１０】
2018049433.tif 000012